(57)【要約】      （修正有）【課題】畜光を使ってキャラクター等が印刷された複雑なデザインも楽しむことが可能となることと、畜光素材の品質低下を防ぐことができる畜光アクセサリーを提供する。【解決手段】畜光品に直接印刷せず、ＯＨＰ等の透明シートにキャラクターの複雑なデザインを印刷し、ＯＨＰ等の透明シートを畜光品と組み合せる。また、ＯＨＰ等の透明シートと畜光品を、アクリルケースやシュリンンクで包む。【選択図】図１
0003172949.tif 000002
【実用新案登録請求の範囲】
【請求項１】
畜光品に直接印刷せず、ＯＨＰ等の透明シートにキャラクターの複雑なデザインを印刷し、ＯＨＰ等の透明シート越しに畜光の輝度を使って、暗い場所でもデザインを浮かび上らせることが可能となる。ＯＨＰ等の透明シートを畜光品と組み合せることを特徴とする。
【請求項２】
ＯＨＰ等の透明シートと畜光品を、アクリルケースやシュリンンクで包むことにより、印刷されたデザインや畜光素材を傷つけず、老朽化を防ぐことを特徴とする。
【考案の詳細な説明】
【技術分野】
【０００１】本考案は、キャラクター等を印刷した複雑なデザインを畜光品の輝度を利用し暗い場所でも、楽しむことができる畜光デザインアクセサリー構造と、その品物の品質保護に関する。【０００２】従来の畜光品は、非常口等の避難防災用として使われ、簡単なデザインは印刷されて使われている。【０００３】しかしながら、従来の畜光品は、簡単なデザインは印刷可能であるが、複雑なデザインは印刷することが難しく、仮に印刷しても鮮明な印刷はできず、キャラクター等のイメージに悪影響を与える可能性があるため使われなかった。また、素材自体がむき出しのものが多く、畜光が傷つき品質低下を招いていたことも、キャラクターデザインに使われなかった要因である。
【先行技術文献】
【特許文献】
【０００４】
【特許文献１】
【非特許文献】
【０００５】
【非特許文献１】「蓄光アクセサリー（ＣＴｇｕａｒｄ）」株式会社リッチアンドテクノロジー、２０１１年６月２７日、２版
【考案の概要】
【考案が解決しようとする課題】
【０００６】本考案は、以上のような従来の欠点に鑑み、畜光を使ってキャラクター等が印刷された複雑なデザインも楽しむことが可能となることと畜光素材の品質低下を防ぐことを併せて提供する事を目的としている。
【課題を解決するための手段】
【０００７】上記目的を達成するために、本考案は（［請求項１］及び［請求項２］の構成要件）で、畜光デザインアクサリー構造を構成している。
【考案の効果】
【０００８】以上の説明から明らかなように、本考案にあっては次に列挙する効果が得られる。
（１）（［請求額１］の構成要件）とで構成されているので、キャラクター等の印刷されたデザインのイメージに悪影響を与えることなく、畜光を使って暗い場所などでデザインを楽しむことができる。【０００９】（２）（［請求額２］の構成要件）によって畜光品やデザインされた透明シートの品質劣化を防ぐことができる。
【図面の簡単な説明】
【００１０】
【図１】本考案を実施するため最良の形態を示す構造図である。
【図２】畜光アクセサリー（大型）
【図３】畜光アクセサリー（小型）
【図４】畜光アクセサリー（丸型）
【考案を実施するための形態】
【００１１】以下、本考案の実施形態を図に基づいて説明する。
【実施例１】
【００１２】［図１］本考案を実施するため最良の形態を示す構造図である。
0003172949.tif 000003
【００１３】［図２］畜光アクセサリー（大型）の製品図である。
0003172949.tif 000004
【００１４】［図３］畜光アクセサリー（小型）の製品図である。
0003172949.tif 000005
【００１５】［図４］畜光アクセサリー（丸型）の製品図である。
0003172949.tif 000006
【産業上の利用可能性】
【００１６】本考案は、畜光品アクセサリーを製造する産業で利用される。
【符号の説明】
【００１７】１  アクリル（蓋）
２  透明印刷シート
３  蓄光シート
４  アクリル（本体）
【図１】
0003172949.tif 000007
【図２】
0003172949.tif 000008
【図３】
0003172949.tif 000009
【図４】
0003172949.tif 000010
【手続補正書】
【提出日】平成23年10月20日(2011.10.20)
【手続補正１】
【補正対象書類名】実用新案登録請求の範囲
【補正対象項目名】全文
【補正方法】変更
【補正の内容】
【実用新案登録請求の範囲】
【請求項１】
蓄光品に直接印刷せず、ＯＨＰ等の透明シートにキャラクターの複雑なデザインを印刷し、ＯＨＰ等の透明シート越しに蓄光の輝度を使って、暗い場所でもデザインを浮かび上らせることが可能となるＯＨＰ等の透明シートを蓄光品と組み合せることを特徴とする蓄光デザインアクセサリー構造の物品である。
【請求項２】
ＯＨＰ等の透明シートと蓄光品を、アクリルケースやシュリンンクで包むことにより、印刷されたデザインや蓄光素材を傷つけず、老朽化を防ぐことを特徴とする請求項１記載の蓄光デザインアクセサリー構造の物品である。
【手続補正２】
【補正対象書類名】明細書
【補正対象項目名】全文
【補正方法】変更
【補正の内容】
【考案の詳細な説明】
【技術分野】
【０００１】本考案は、キャラクター等を印刷した複雑なデザインを蓄光品の輝度を利用し暗い場所でも、楽しむことができる蓄光デザインアクセサリー構造と、その品物の品質保護に関する。【０００２】従来の蓄光品は、非常口等の避難防災用として使われ、簡単なデザインは印刷されて使われている。【０００３】しかしながら、従来の蓄光品は、簡単なデザインは印刷可能であるが、複雑なデザインは印刷することが難しく、仮に印刷しても鮮明な印刷はできず、キャラクター等のイメージに悪影響を与える可能性があるため使われなかった。また、素材自体がむき出しのものが多く、蓄光が傷つき品質低下を招いていたことも、キャラクターデザインに使われなかった要因である。
【先行技術文献】
【特許文献】
【０００４】
【特許文献１】
【非特許文献】
【０００５】
【非特許文献１】「蓄光アクセサリー（ＣＴｇｕａｒｄ）」株式会社リッチアンドテクノロジー、２０１１年６月２７日、２版
【考案の概要】
【考案が解決しようとする課題】
【０００６】本考案は、以上のような従来の欠点に鑑み、蓄光を使ってキャラクター等が印刷された複雑なデザインも楽しむことが可能となることと蓄光素材の品質低下を防ぐことを併せて提供する事を目的としている。
【課題を解決するための手段】
【０００７】上記目的を達成するために、本考案は（［請求項１］及び［請求項２］の構成要件）で、蓄光デザインアクサリー構造を構成している。
【考案の効果】
【０００８】以上の説明から明らかなように、本考案にあっては次に列挙する効果が得られる。（１）（［請求項１］の構成要件）とで構成されているので、キャラクター等の印刷されたデザインのイメージに悪影響を与えることなく、蓄光を使って暗い場所などでデザインを楽しむことができる。【０００９】（２）（［請求項２］の構成要件）によって蓄光品やデザインされた透明シートの品質劣化を防ぐことができる。
【図面の簡単な説明】
【００１０】
【図１】本考案を実施するため最良の形態を示す構造図である。
【図２】蓄光アクセサリー（大型）
【図３】蓄光アクセサリー（小型）
【図４】蓄光アクセサリー（丸型）
【考案を実施するための形態】
【００１１】以下、本考案の実施形態を図に基づいて説明する。
【実施例１】
【００１２】［図１］は、本考案を実施するため最良の形態を示す構造図である。アクリル（蓋）とアクリル（本体）で、透明印刷シートと蓄光シートを包み込む。【００１３】［図２］は、蓄光アクセサリー（大型）の製品図である。製品サイズ：（外寸）７８ｍｍ×５５ｍｍ、（内寸）６８ｍｍ×４５ｍｍ【００１４】［図３］は、蓄光アクセサリー（小型）の製品図である。製品サイズ：（外寸）４１ｍｍ×４１ｍｍ、（内寸）３３ｍｍ×３３ｍｍ【００１５】［図４］は、蓄光アクセサリー（丸型）の製品図である。製品サイズ：（外寸）φ３５ｍｍ、（内寸）φ３１ｍｍ
【産業上の利用可能性】
【００１６】本考案は、蓄光品アクセサリーを製造する産業で利用される。
【符号の説明】
【００１７】１  アクリル（蓋）２  透明印刷シート３  蓄光シート４  アクリル（本体）